(57)【要約】【課題】シート状部材の着脱が容易な操作パネルを提供する。【解決手段】操作パネル１のパネル本体１０の左右の凹部２３，２４に、操作ボタンＢについての標記がなされた第２シート部材と、その標記が判読できる透明な第１シート状部材１１とを重ねて取り付ける。第１シート状部材１１の舌片３５ａ，３５ｂ，３７ａ，３７ｂをパネル本体１０側の舌片係合部に係合させる。この状態で、シート押さえ部材１３の下面に突出された「Ｌ」字形のフックをパネル本体１０側の透孔２５ａ〜２５ｃ，２６ａ〜２６ｃに挿入し、さらに左方にスライド移動させることで、フックをパネル本体１０が係合させる。これにより、シート押さえ部材１３によって舌片３５ａ，３５ｂを押さえ込んで、第２シート状部材及び第１シート状部材１１を簡単に取り付けることができる。【選択図】図２
2009037753.tif 000002
【特許請求の範囲】
【請求項１】
パネル本体に配設された複数の押下可能な操作ボタンを備えた、画像形成装置の操作パネルにおいて、
前記操作ボタンに対応する部分に透孔を有し、前記パネル本体に対する装着時に前記透孔から前記操作ボタンが突出される、着脱自在な第１シート状部材と、
前記パネル本体に係合されることで、前記第１シート状部材を前記パネル本体に固定するシート押さえ部材と、を備え、
前記第１シート状部材は、周端縁から外側に向けて突設された突起を有し、
前記パネル本体は、表裏方向に貫通された取付孔を有し、
前記シート押さえ部材は、前記突起を押さえ付けるシート押さえ本体と、前記シート押さえ本体の裏面側に突設されたフックとを有し、前記フックを前記取付孔に挿入して前記シート押さえ本体を一方向にスライド移動させることにより、前記フックが前記パネル本体の裏面側に係合されて、前記シート押さえ本体が前記突起を前記パネル本体との間に挟み込む、
ことを特徴とする操作パネル。
【請求項２】
前記第１シート状部材は、前記突起を複数有し、
前記パネル本体は、前記取付孔を複数有し、
前記シート押さえ部材は棒状に形成されるとともに複数の前記フックを有する、
ことを特徴とする請求項１に記載の操作パネル。
【請求項３】
前記シート押さえ本体を係合解除方向に移動させた際に、前記シート押さえ本体の先端に係合して、前記先端を持ち上げる第１傾斜面が、前記パネル本体に形成されている、
ことを特徴とする請求項２に記載の操作パネル。
【請求項４】
前記突起は、前記第１シート状部材の上端縁に突設されていて、
前記シート押さえ部材は、前記上端縁に沿って左右方向に配置される、
ことを特徴とする請求項３に記載の操作パネル。
【請求項５】
前記パネル本体は、前記第１シート状部材が嵌り込む凹部を有する、
ことを特徴とする請求項４に記載の操作パネル。
【請求項６】
前記パネル本体は、前記画像形成装置の原稿載置台が配設された上面になだらかに連続するように形成され、
前記シート押さえ部材は、前記原稿載置台と前記パネル本体の間に配設されるとともに、上面に、前記原稿載置台から遠いほど上方に傾斜する第２傾斜面を有する、
ことを特徴とする請求項６に記載の操作パネル。
【請求項７】
前記第２傾斜面における最高高さ部分は、前記操作ボタンよりも高い位置に位置する、
ことを特徴とする請求項６に記載の操作パネル。
【請求項８】
前記操作ボタンに対応する部分に透孔を有し、前記透孔から前記操作ボタンが突出されるように、前記第１シート状部材の下に装着される、着脱自在な第２シート状部材を備える、
ことを特徴とする請求項１乃至８のいずれか１項に記載の操作パネル。
【請求項９】
前記第２シート状部材は、前記操作ボタンについての標記がなされ、
前記第１シート状部材は、前記第２シート状部材上に重ねたときに、前記標記が判読できる材料によって形成されている、
ことを特徴とする請求項８に記載の操作パネル。
【請求項１０】
画像形成装置本体の上面に原稿載置台と操作パネルとを備えた画像形成装置において、
前記操作パネルが、請求項１乃至９のいずれか１項に記載の操作パネルである、
ことを特徴とする画像形成装置。
【発明の詳細な説明】
【技術分野】
【０００１】
本発明は、画像形成装置を操作するための操作ボタン等が配設された操作パネル、及びこれを備えた画像形成装置に関する。
【背景技術】
【０００２】
複写機，プリンタ，ファクシミリ等の画像形成装置の操作パネルには、画像形成装置を操作するため等の多数の操作ボタンが配設されている。これらの操作ボタンには、それぞれの近傍に名称や機能を記載した表記がなされている（例えば、特許文献１，２参照）。
【０００３】
このうち特許文献１では、操作部本体にキー表示及び表示手段が設けられていて、その表面を操作シート（シート状部材）で覆っている。操作シートは、入力キー及び表示手段に対応する位置に、キー表示及び透明窓が設けられている。この操作シートを操作部本体に取り付けるには、操作シートの周縁部から突設されている装着突起を、操作シートを撓ませることにより、操作部本体に形成されている装着溝にはめ込むようにする。
【０００４】
一方、特許文献２では、操作パネルに対応する部分に透孔を有し、液晶ディスプレイに対応する部分に透明窓を有するパネルシート（シート状部材）を接着剤で貼り付けるようにしている。
【特許文献１】特開平７−６８９０１号公報
【特許文献２】特開２００３−１５８３８３号公報
【発明の開示】
【発明が解決しようとする課題】
【０００５】
しかしながら、上述の特許文献１では、シート状部材の着脱に際して、これを撓ませる必要があるため、シート状部材の材質や厚さが大きく制約されるという問題があった。
【０００６】
一方、特許文献２のものは、シート状部材は、操作パネルに接着剤で接着しているため、簡単に着脱することができないという問題があった。
【０００７】
そこで、本発明は、シート状部材についての材質や厚さに大きな制約を受けることがなく、しかも、シート状部材を簡単に着脱することができる操作パネル、及びこれを備えた画像形成装置を提供することを目的とするものである。
【課題を解決するための手段】
【０００８】
請求項１に係る発明は、パネル本体に配設された複数の押下可能な操作ボタンを備えた、画像形成装置の操作パネルに関する。この発明に係る操作パネルは、前記操作ボタンに対応する部分に透孔を有し、前記パネル本体に対する装着時に前記透孔から前記操作ボタンが突出される、着脱自在な第１シート状部材と、前記パネル本体に係合されることで、前記第１シート状部材を前記パネル本体に固定するシート押さえ部材と、を備え、前記第１シート状部材は、周端縁から外側に向けて突設された突起を有し、前記パネル本体は、表裏方向に貫通された取付孔を有し、前記シート押さえ部材は、前記突起を押さえ付けるシート押さえ本体と、前記シート押さえ本体の裏面側に突設されたフックとを有し、前記フックを前記取付孔に挿入して前記シート押さえ本体を一方向にスライド移動させることにより、前記フックが前記パネル本体の裏面側に係合されて、前記シート押さえ本体が前記突起を前記パネル本体との間に挟み込む、ことを特徴としている。
【０００９】
請求項２に係る発明は、請求項１に係る操作パネルにおいて、前記第１シート状部材は、前記突起を複数有し、前記パネル本体は、前記取付孔を複数有し、前記シート押さえ部材は棒状に形成されるとともに複数の前記フックを有する、ことを特徴としている。
【００１０】
請求項３に係る発明は、請求項２に係る操作パネルにおいて、前記シート押さえ本体を係合解除方向に移動させた際に、前記シート押さえ本体の先端に係合して、前記先端を持ち上げる第１傾斜面が、前記パネル本体に形成されている、ことを特徴としている。
【００１１】
請求項４に係る発明は、請求項３に係る操作パネルにおいて、前記突起は、前記第１シート状部材の上端縁に突設されていて、前記シート押さえ部材は、前記上端縁に沿って左右方向に配置される、ことを特徴としている。
【００１２】
請求項５に係る発明は、請求項４に係る操作パネルにおいて、前記パネル本体は、前記第１シート状部材が嵌り込む凹部を有する、ことを特徴としている。
【００１３】
請求項６に係る発明は、請求項６に係る操作パネルにおいて、前記パネル本体は、前記画像形成装置の原稿載置台が配設された上面になだらかに連続するように形成され、前記シート押さえ部材は、前記原稿載置台と前記パネル本体の間に配設されるとともに、上面に、前記原稿載置台から遠いほど上方に傾斜する第２傾斜面を有する、ことを特徴としている。
【００１４】
請求項７に係る発明は、請求項６に係る操作パネルにおいて、前記第２傾斜面における最高高さ部分は、前記操作ボタンよりも高い位置に位置する、ことを特徴としている。
【００１５】
請求項８に係る発明は、請求項１乃至８のいずれか１項に係る操作パネルにおいて、前記操作ボタンに対応する部分に透孔を有し、前記透孔から前記操作ボタンが突出されるように、前記第１シート状部材の下に装着される、着脱自在な第２シート状部材を備える、ことを特徴としている。
【００１６】
請求項９に係る発明は、請求項８に係る操作パネルにおいて、前記第２シート状部材は、前記操作ボタンについての標記がなされ、前記第１シート状部材は、前記第２シート状部材上に重ねたときに、前記標記が判読できる材料によって形成されている、ことを特徴としている。
【００１７】
請求項１０に係る発明は、画像形成装置本体の上面に原稿載置台と操作パネルとを備えた画像形成装置に関する。この発明に係る画像形成装置は、前記操作パネルが、請求項１乃至９のいずれか１項に係る操作パネルである、ことを特徴としている。
【発明の効果】
【００１８】
請求項１の発明によれば、第１シート状部材をパネル本体に載せ、第１シート状部材の突起にシート押さえ部材のシート押さえ本体を載せてフックを取付孔に挿入し、そのままシート押さえ部材を一方向にスライド移動させることで、フックをパネル本体の裏面側に係合させるとともに、シート押さえ本体で第１シート状部材の突起を押さえ付ける、といった簡単な動作で、第１シート状部材をパネル本体に取り付けることができる。また、上述と逆に手順を踏むことで、パネル本体から第１シート状部材を簡単に取り外すことができる。また、この構成によれば、第１シート状部材の厚さが薄い場合も厚い場合も、さらに材質の異なる第１シート状部材に対してもほぼ同様に対応することが可能である。
【００１９】
請求項２の発明によれば、第１シート状部材の突起、パネル本体の取付孔、シート押さえ部材は、それぞれ複数設けられているので、棒状のシート押さえ部材によって第１シート状部材を安定的に保持することができる。
【００２０】
請求項３の発明によれば、装着状態のシート押さえ部材を係合解除方向（他方向）に移動させると、シート押さえ部材の先端が、パネル本体側の第１傾斜面に係合して、持ち上げられるので、シート押さえ部材を簡単に取り外すことができる。
【００２１】
請求項４の発明によれば、シート押さえ部材は、第１シート状部材の上端縁の突起を押さえつけることで、第１シート状部材を保持することができる。
【００２２】
請求項５の発明によれば、パネル本体は、第１シート状部材が嵌り込む凹部を有しているので、第１シート状部材が上方の出っ張ることがない。
【００２３】
請求項６の発明によれば、原稿載置台に載置された原稿を、操作パネル側にスライド移動させた場合に、原稿の先端部が、シート押さえ部材の第２傾斜面によって上方に持ち上げられるので、原稿の先端が操作ボタンに引っかかりにくくすることができる。
【００２４】
請求項７の発明によれば、第２傾斜面における最高高さ部分が、操作ボタンよりも高い位置に配置されているので、原稿を操作パネル場合にスライド移動させた場合に、その先端が、一層引っかかりにくくすることができる。
【００２５】
請求項８の発明によれば、第１シート状部材は、パネル本体との間に、第２シート状部材を挟持することができる。
【００２６】
請求項９の発明によれば、第２シート状部材の標記を、第２シート状部材の表面側を覆う第１シート状部材の上から判読することができる。これにより、例えば、第２シート状部材は、操作ボタン等についての情報を伝達するためのシートとして使用し、第１シート状部材は、第２シート状部材をカバーするカバー部材として使用することができ、第１シート状部材の着脱が容易であるため、第２シート状部材の交換も容易である。なお、例えば、第２シート状部材としては、操作ボタン等の説明を各国の言語で記載したもの等があげられる。
【００２７】
請求項１０の発明によれば、画像読取装置における上述の請求項１〜７の効果を、画像形成装置として奏することができる。
【発明を実施するための最良の形態】
【００２８】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２９】
＜実施形態１＞
図１〜図７を参照して、本実施形態に係る操作パネルについて説明する。このうち、図１は、パネル本体１０から第１シート状部材１１、第２シート状部材１２、シート押さえ部材１３を取り外した状態を示す斜視図である。図２は、パネル本体１０に第１シート状部材１１及び第２シート状部材１２を取り付けた状態を示す斜視図である。ただし、同図では、第２シート状部材１２は、第１シート状部材１１によって覆われてしまうので、図示されていない。図３は、パネル本体１０に第１シート状部材１１及び第２シート状部材１２、シート押さえ部材１３を取り付けた状態を示す斜視図である。図４は、シート押さえ部材１３を取り外す際のスライド方向を説明する図である。図５（ａ）は、図４中の矢印Ａ−Ａ線矢視図である。（ｂ）は、（ａ）における右端側の部分を拡大した図である。図６（ａ）は、シート押さえ部材５５の変形例を説明する左側面図である。（ｂ）は同じく正面図である。図７は、シート押さえ部材１３の変形例である、シート押さえ部材５５を説明する斜視図である。
【００３０】
図１〜図３に示すように、操作パネル１は、パネル本体１０と、第１シート状部材１１と、第２シート状部材１２と、シート押さえ部材１３と、複数の操作ボタン（操作キー）Ｂを備えていて、複写機，プリンタ，ファクシミリ等の画像形成装置におけるユーザ等の使用者が使用しやすい位置、例えば、画像形成装置本体の上部の前側（操作時に使用者が立つ側）に配設されている。
【００３１】
パネル本体１０は、本実施形態では、上辺２０の方が下辺２１よりも長い、左右方向に長いほぼ台形状に形成されている。パネル本体１０の左右方向の中央部には、画像形成装置についての種々の情報を表示する液晶パネル２２が配置されている。パネル本体１０における左側及び右側には、後述する第１シート状部材１１及び第２シート状部材１２が丁度、嵌り込む形状及び大きさの凹部２３，２４が設けてある。凹部２３，２４の深さは、第１シート状部材１１の厚さと第２シート状部材１２の厚さとを加えた寸法よりも少し大きい寸法に設定されている。これは、凹部２３，２４に、後述するように第２シート状部材１２に第１シート状部材１１を重ねて配置したときに、上側の第１シート状部材１１の端縁がパネル本体１０から上方に不要に出っ張ることを防止するためである。凹部２３の底部２３ａには、主に横長の種々の大きさの長方形状の操作ボタンＢが整列状態で配列され、また、凹部２４の底部２４ａには、大小種々の円形の操作ボタンＢが整列状態で配列されている。パネル本体１０の凹部２３，２４の底部２３ａ，２４ａにおける、これら操作ボタンＢに対応する位置には、これらと同形で、これらよりもわずかに大きい透孔（不図示）が、パネル本体１０を表裏方向に貫通するように穿設されている。そして、各操作ボタンＢは、これら透孔を裏面側から表面側に貫通し、さらに後述する第２シート状部材１２及び第１シート状部材１１を貫通して、第１シート状部材１１の表面から少し突出するようになっている。ユーザ等の使用者は、これら複数の操作ボタンＢのうちから、適宜なものを選択して押下することにより、画像形成装置に対して種々の設定を行うことができるようになっている。
【００３２】
パネル本体１０の左の凹部２３の底部２３ａにおける上端近傍には、左右方向に３個の透孔（取付孔）２５ａ，２５ｂ，２５ｃが設けてある。これら透孔２５ａ，２５ｂ，２５ｃは、左右方向に長い長方形状に形成されていて、底部２３ａを表裏方向に貫通している。左側の透孔２５ａの右隣、及び中央の透孔２５ｂと右側の透孔２５ｃとの間には、長方形状の凹部である舌片係合部２７ａ，２７ｂが形成されている。これら舌片係合部２７ａ，２７ｂは、底部２３ａをさらに掘り下げるように形成されていて、中央には、ピン状の突起２８ａ，２８ｂが突設されている。これら舌片係合部２７ａ，２７ｂには、後述する左の第１シート状部材１１の上端（周端縁）から突設された舌片（突起）３５ａ，３５ｂが係合される。また、底部２３ａの上部の右端側には、底部２３ａ側からパネル本体１０の表面１０ａ側に傾斜する第１傾斜面３２ａが形成されている。
【００３３】
パネル本体１０の右の凹部２４にも、上述の左の凹部２３と同様の、透孔（取付孔）２６ａ，２６ｂ，２６ｃと、舌片係合部３０ａ，３０ｂと、突起３１ａ，３１ｂと、第１傾斜面３２ｂが形成されている。パネル本体１０の右の凹部２４の底部２４ａにおける上端近傍には、左右方向に３個の透孔２６ａ，２６ｂ，２６ｃが設けてある。これら透孔２５ａ，２５ｂ，２５ｃは、左右方向に長い長方形状に形成されていて、底部２４ａを表裏方向に貫通している。左側の透孔２６ａと中央に透孔２６ｂとの間、及び中央の透孔２６ｂと右側の透孔２６ｃとの間には、長方形状の凹部である舌片係合部３０ａ，３０ｂが形成されている。これら舌片係合部３０ａ，３０ｂは、底部２４ａをさらに掘り下げるように形成されていて、中央には、ピン状の突起３１ａ，３１ｂが突設されている。これら舌片係合部３０ａ，３０ｂには、後述する右の第１シート状部材１１の上端（周端縁）から突設された舌片（突起）３７ａ，３７ｂが係合される。また、底部２４ａの上部の右端側には、底部２４ａ側からパネル本体１０の表面１０ａ側に傾斜する第１傾斜面３２ｂが形成されている。
【００３４】
第２シート状部材１２は、本実施形態では、パネル本体１０の液晶パネル２２の左側と右側とに配置されている。左の第２シート状部材１２は、上述の左の凹部２３とほぼ同形に形成されていて、操作ボタンＢに対応する部分には、これらよりもわずかに大きい透孔Ｈが穿設されている。左の第２シート状部材１２は、左の凹部２３における上端部が省略されている。つまり、左の第２シート状部材１２を凹部２３に取り付けて、各操作ボタンＢが透孔から突出するようにした場合、左の第２シート状部材１２は、上述の透孔２５ａ，２５ｂ，２５ｃ、舌片係合部２７ａ，２７ｂ、第２傾斜面３２ａは覆うことなく、これらを露出させている。ここの部分には、後述する左のシート押さえ部材１３が配置されるようになっている。
【００３５】
右の第２シート状部材１２は、上述の右の凹部２４とほぼ同形に形成されていて、操作ボタンＢに対応する部分には、これらよりもわずかに大きい透孔Ｈが穿設されている。右の第２シート状部材１２は、右の凹部２４における上端部が省略されている。つまり、右の第２シート状部材１２を凹部２４に取り付けて、各操作ボタンＢが透孔から突出するようにした場合、右の第２シート状部材１２は、上述の透孔２６ａ，２６ｂ，２６ｃ、舌片係合部３０ａ，３０ｂ、第２傾斜面３２ｂは覆うことなく、これらを露出させている。ここの部分には、後述する右のシート押さえ部材１３が配置されるようになっている。
【００３６】
左右の第２シート状部材１２は、例えば、薄い合成紙によって形成されていて、操作ボタンについての説明が、画像形成装置が出荷された各国の言語によって標記されている。左右の第２シート状部材１２は、特にパネル本体１０に対する取付手段を有しておらず、左右の凹部２３，２４の底部２３ａ，２４に載せられた状態で、後述する左右の第１シート状部材１１によって上から押さえられることで、パネル本体１０に取り付けられる。
【００３７】
本実施形態では、第１シート状部材１１は、パネル本体１０の液晶パネル２２の左側と右側とに配置されている。左の第１シート状部材１１は、上述の左の第２シート状部材１２とほぼ同形に形成されていて、操作ボタンＢに対応する部分には、これらよりもわずかに大きい透孔Ｈが穿設されている。左の第１シート状部材１１は、左の第２シート状部材１２とは異なり、上端縁に２つの舌片３５ａ，３５ｂが突設されている。これら舌片３５ａ，３５ｂの中央には、透孔３６ａ，３６ｂが穿設されている。左の第１シート状部材１１は、上述の左の凹部２３に載せた左の第２シート状部材１２の上に被せるように載せる。これにより、左の第１シート状部材１１の透孔Ｈを操作ボタンＢが貫通し、また、左の第１シート状部材１１の舌片３５ａ，３５ｂが、舌片係合部２７ａ，２７ｂに係合されるとともに、舌片３５ａ，３５ｂの透孔３６ａ，３６ｂが、舌片係合部２７ａ，２７ｂの突起２８ａ，２８ｂに係合される。この左の第１シート状部材１１が取り付けられた状態において、第１シート状部材１１の上端の上方に位置する、パネル本体１０側の透孔２５ａ，２５ｂ，２５ｃ、第１傾斜面３２ａは、露出された状態となっている。これらには、後述する左のシート押さえ部材１３が係合されることになる。
【００３８】
右の第１シート状部材１１は、上述の第１シート状部材１１とほぼ同様の形成されている。すなわち、右の第１シート状部材１１は、上述の右の第２シート状部材１２とほぼ同形に形成されていて、操作ボタンＢに対応する部分には、これらよりもわずかに大きい透孔Ｈが穿設されている。右の第１シート状部材１１は、右の第２シート状部材１２とは異なり、上端縁に２つの舌片３７ａ，３７ｂが突設されている。これら舌片３７ａ，３７ｂの中央には、透孔３８ａ，３８ｂが穿設されている。右の第１シート状部材１１は、上述の右の凹部２４に載せた右の第２シート状部材１２の上に被せるように載せる。これにより、右の第１シート状部材１１の透孔Ｈを操作ボタンＢが貫通し、また、右の第１シート状部材１１の舌片３７ａ，３７ｂが、舌片係合部３０ａ，３０ｂに係合されるとともに、舌片３７ａ，３７ｂの透孔３８ａ，３８ｂが、舌片係合部３０ａ，３０ｂの突起３１ａ，３１ｂに係合される。この右の第１シート状部材１１が取り付けられた状態において、第１シート状部材１１の上端の上方に位置する、パネル本体１０側の透孔２６ａ，２６ｂ，２６ｃ、第１傾斜面３２ｂは、露出された状態となっている。これらには、後述する右のシート押さえ部材１３が係合されることになる。
【００３９】
左右の第１シート状部材１１は、パネル本体１０に、第２シート状部材１２に重ねるようにして取り付けたときに、操作ボタンＢについての第２シート状部材１２の標記を上から透かして判読することができるような素材、例えば、透明なプラスチックによって形成されている。本実施形態の構成によると、第１シート状部材１１の厚さについては、従来例とはことなり、構成上に制約を受けることなく、任意の厚さに設定することができる。
【００４０】
シート押さえ部材１３は、本実施形態では、パネル本体１０の液晶パネル２２の左側と右側とに配置されている。なお、左右のシート押さえ部材１３は、同様の構成であるので、以下では左のシート押さえ部材１３についてのみ説明し、右のシート押さえ部材１３については説明を省略する。図２に示すように、左右方向に長い棒状に形成されている。左のシート押さえ部材１３は、図５（ａ）に示すように、左右方向に長い押さえ部材本体４０と、押さえ部材本体４０の下面に突設された３個のフック４１ａ，４１ｂ，４１ｃとを有している。なお、図５（ｂ）には、（ａ）のフック４１ｃ近傍の拡大図を示している。３つのフック４１ａ，４１ｂ，４１ｃは、「Ｌ」字形に形成されていて、上述のパネル本体１０側の、凹部２３の透孔２５ａ，２５ｂ，２５ｃに対応する位置に突設されている。これらフック４１ａ，４１ｂ，４１ｃは、透孔２５ａ，２５ｂ，２５ｃに上方から挿入し、シート押さえ本体４０を図５（ａ）中の左方にスライド移動させることで、パネル本体１０の裏面側に係合させることができる。図５（ａ）では、この係合状態を図示している。これらフック４１ａ，４１ｂ，４１ｃがパネル本体１０側に係合されることで、シート押さえ本体４０の裏面側によって第１シート状部材１１の舌片３５ａ，３５ｂを上方から（表面側から）押さえ付ける。これにより、パネル本体１０に対して第１シート状部材１１を固定することができる。同時に、パネル本体１０と、これに固定された第１シート状部材１１との間に、第２シート状部材１２を挟み込んで保持することができる。
【００４１】
シート押さえ部材１３のシート押さえ本体４０の右端部における裏面側には、パネル本体１０側の第１傾斜面３２ａに対応する第３傾斜面４２が形成されている。これにより、図５（ａ），（ｂ）に示す係合状態のシート押さえ部材１３を、図４中の矢印Ｋ方向にスライド移動させて取り外す際に、第３傾斜面４２が、パネル本体１０側の第１傾斜面３２ａに乗り上げるので、シート押さえ部材１３は、各フック４１ａ，４１ｂ，４１ｃの係合が解除されるとともに、右端側が上方に持ち上げられる。これにより、シート押さえ部材１３の取り外しが容易となる。なお、右にシート押さえ部材１３についても左のシート押さえ部材１３と同様に構成されていて、パネル本体１０に対する着脱が左のシート押さえ部材１３と同様に容易である。
【００４２】
以上で、操作パネル１の構成要素であるパネル本体１０、第１シート状部材１１、第２シート状部材１２、シート押さえ部材１３等の構成についての説明を終える。
【００４３】
上述構成の操作パネル１によれば、左右の第２シート状部材１２は、パネル本体１０の左右の凹部２３，２４とほぼ同形に形成されているので、左右の凹部２３，２４に載せることにより、透孔Ｈから操作パネルＢが突出される。つまり、左右の第２シート状部材１２は、凹部２３，２４に載せるのみで取り付けを完了する。また、右の第１シート状部材１３についても、左右の凹部２３，２４とほぼ同形に形成されているので、凹部２３，２４内の左右の第２シート状部材１２に重ねるように載せることで、取り付けることができる。このとき、左右の第１シート状部材１１は、舌片３５ａ，３５ｂ、３７ａ，３７ｂの透孔３６ａ，３６ｂ、３８ａ，３８ｂがパネル本体１０側の突起２８ａ，２８ｂ、３１ａ，３１ｂに係合されることで、前後左右の位置決めがなされる。この状態で、上述のようにして、左右のシート押さえ部材１３を、そのフック４１ａ，４１ｂ，４１ｃ等をパネル本体１０側の透孔２５ａ，２５ｂ，２５ｃ，２６ａ，２６ｂ，２６ｃに挿入して、左方にスライド移動させる。これにより、フック４１ａ，４１ｂ，４１ｃ等をパネル本体１０の裏面側に係合させて、シート押さえ部材１３全体をパネル本体１０に取り付けて、第１シート状部材１１を固定し、さらに固定された第１シート状部材１１を介して、第２シート状部材１２を固定することができる。
【００４４】
以上のように、工具や接着剤等を使用することなく、簡単な動作で、パネル本体１０に対して、第１シート状部材１１及び第２シート状部材１２を取り付けることができる。また、上述と逆の手順を踏むことで、第１シート状部材１１及び第２シート状部材１２を簡単に取り外すことができる。上述のように、第１シート状部材１１を、第２シート状部材１２のカバー部材として使用する場合には、必要に応じて、第２シート状部材１２の交換（差し替え）を簡単に行うことができる。
【００４５】
図５（ａ），（ｂ）を参照して、上述のシート押さえ部材１３の変形例である、シート押さえ部材５５について説明する。
【００４６】
上述のシート押さえ部材１３は、図２に示すようにその上面が平坦に形成されていた。これに対し、変形例のシート押さえ部材５５は、図６（ａ），図７に示すように、その上面に第２傾斜面５６を有している。これらの図に示すように、本例では、画像形成装置５０の上面５０ａに、画像の読取対象となる原稿Ｄがその画像面を下方に向けて載置されるコンタクトガラス（原稿載置台）５１が配設されている。また、コンタクトガラス５１の左端側には、原稿Ｄの左端が押し当たられる指示板５２が前後方向に向けて載置されている。これらコンタクトガラス５１や指示板５２が配設された上面５０ａは、水平面状に形成されている。操作パネル１全体は、画像形成装置本体５０から前方の飛び出すように配置されていて、パネル本体１０の表面（上面）１０ａは、画像形成装置５０の上面５０ａに対して、前端側が下方に下がった緩い傾斜をもって連続されている。そして、シート押さえ部材５５は、画像形成装置５０の上面５０と、パネル本体１０の表面１０ａとの境界近傍に左右方向を設けて配設されている。
【００４７】
シート押さえ部材５５の上面に形成された第２傾斜面５６は、シート押さえ部材５５の左右方向の全長にわたって形成されており、また、奥側が低く、手前側が高い傾斜面に形成されている。この第２傾斜面５６における最高高さ部分５６ａは、操作パネル本体１０に配置されている操作ボタンＢよりも高い位置に位置するように形成されている。
【００４８】
シート押さえ部材５５がこのような第２傾斜面５６を有していることにより、図７に示すように、コンタクトガラス５１上に載置されている原稿Ｄを手前側に引き出して取り除く際に、原稿Ｄの先端Ｄ１が第２傾斜面５６に沿って押し上げられるので、先端Ｄ１が操作ボタンＢに引っかかって原稿Ｄが折れ曲がったり、操作ボタンＢが誤って押下されたりする不具合を防止することができる。
【００４９】
以上説明した実施形態では、パネル本体１０に対して、第１シート状部材１１と第２シート状部材１２との２種類のものを取り付ける場合を説明したが、本発明はこれに限定されるものではなく、例えば、第２シート状部材１２を省略して、第１シート状部材１１を単独で使用して、これをシート押さえ部材１３によって固定するようにしてもよい。この場合には、例えば、操作ボタンＢについての標記は、第１シート状部材１１に対して直接的に付すようにすればよい。ただし、上述のように、第１シート状部材１１と第２シート状部材１２とを有する場合には、例えば、多数の画像形成装置を世界各国に出荷するような場合、第１シート状部材１１は、第２シート状部材１２のカバー部材としてすべての画像形成装置５０に共通に使用し、パネル本体１０に取り付けておく。そして、各国の言語に対応させた標記が必要な第２シート状部材１２については、出荷時にパネル本体１０に取り付けることなく、別にしておいたり、現地で取り付けるようにしたりする。このような態様とすることで、操作パネル１０の組み立て工数を低減するとともに、第２シート状部材１２を簡単に、安価に作ることができるので、その分、全体のコストを低減することも可能となる。
【産業上の利用可能性】
【００５０】
上述では、本発明を画像読取装置の操作パネルに使用する場合を例に説明したが、本発明は、これ以外に、操作パネルを使用する一般的な装置に対して広く適用することができる。
【図面の簡単な説明】
【００５１】
【図１】パネル本体から第１シート状部材、第２シート状部材、シート押さえ部材を取り外した状態を示す斜視図である。
【図２】パネル本体に第１シート状部材及び第２シート状部材を取り付けた状態を示す斜視図である。
【図３】パネル本体に第１シート状部材及び第２シート状部材、シート押さえ部材を取り付けた状態を示す斜視図である。
【図４】シート押さえ部材を取り外す際のスライド方向を説明する図である。
【図５】（ａ）は図４中の矢印Ａ−Ａ線矢視図であり、ｂ）は（ａ）における右端側の部分を拡大した図である。
【図６】（ａ）はシート押さえ部材の変形例を説明する左側面図であり、（ｂ）は同じく正面図である。
【図７】変形例としてのシート押さえ部材を説明する斜視図である。
【符号の説明】
【００５２】
１……操作パネル、１０……パネル本体、１１……第１シート状部材、１２……第２シート状部材、１３……シート押さえ部材、２３，２４……凹部、２５ａ，２５ｂ，２５ｃ，２６ａ，２６ｂ，２６ｃ……透孔（取付孔）、３２ａ，３２ｂ……第１傾斜面、３５ａ，３５ｂ，３７ａ，３７ｂ……舌片（突起）、４０……シート押さえ本体、４１ａ，４１ｂ……フック、５０……画像形成装置、５０ａ……上面、５１……コンタクトガラス（原稿載置台）、５５……シート押さえ部材、５６……第２傾斜面、５６ａ……最高高さ部分、Ｂ……操作ボタン、Ｈ……透孔、
【図１】
2009037753.tif 000003
【図２】
2009037753.tif 000004
【図３】
2009037753.tif 000005
【図４】
2009037753.tif 000006
【図５】
2009037753.tif 000007
【図６】
2009037753.tif 000008
【図７】
2009037753.tif 000009